(57)【要約】【課題】  複数の施肥ポンプと変速装置とを田植え機の昇降リンクと後車輪との狭いスペースに配置可能とすると共に、前記変速装置の変速操作を容易に行えるようにした田植え機を提供する。【解決手段】  走行機体１１の後方に、昇降リンク２５を介して支持された植付け装置３１と、植付けられる苗列に対応して各ノズルから肥料を施す施肥装置を備えた田植え機において、前記施肥装置は、肥料を前記各ノズルに供給する肥料繰出し装置４６を備え、該肥料繰出し装置４６は、縦方向に並ぶように配置された複数の施肥ポンプ５０と、該施肥ポンプ５０の上方に配置された変速装置５５とを備えている。変速装置５５が肥料ポンプ５０の上方に配置されているので、変速装置５５の操作を容易に行うことができる。【選択図】      図２
2006075008.tif 000002
【特許請求の範囲】
【請求項１】
走行機体の後方に、圃場に複数条の苗を植付ける植付け装置を昇降リンクを介して昇降自在に支持すると共に、前記複数条に植付けられる苗列に対応して各ノズルから肥料を施す施肥装置を備えてなる、田植え機において、
前記施肥装置は、施肥タンクと、施肥タンクの肥料を前記各ノズルにそれぞれ供給する複数の施肥ポンプを有する肥料繰出し装置と、ＰＴＯ軸から前記肥料繰出し装置に伝達する回転を変速操作する変速装置と、を有し、
前記肥料繰出し装置は、前記走行機体を懸架する後車輪と前記昇降リンクとの間における前記走行機体の後部に、前記複数の施肥ポンプが縦方向に並ぶように配置され、
前記変速装置は、前記走行機体の後部における前記肥料繰出し装置の上方に配置されてなる、
ことを特徴とする田植え機。
【請求項２】
前記ＰＴＯ軸から前記変速装置に動力伝達する第１の伝動装置を前記変速装置の機体後方側に配置し、
前記変速装置から前記肥料繰出し装置の前記各施肥ポンプに動力伝達する第２の伝達装置を前記肥料繰出し装置の機体後方に配置してなる、
請求項１記載の田植え機。
【請求項３】
前記肥料繰出し装置は、前記施肥タンクと連通する供給側溜りを機体後方に、かつ前記各施肥ポンプの吐出口を機体前方に向けて配置され、
前記肥料繰出し装置の前記各施肥ポンプと前記各ノズルとの間に介在される切換えバルブを有する条止め装置を、前記走行機体のステップ後端部に配置し、
前記肥料繰出し装置の前記各施肥ポンプから前記条止め装置の前記切換えバルブに、更に前記切換えバルブから前記各ノズルに、それぞれホースを連結してなる、
請求項１又は２記載の田植え機。
【発明の詳細な説明】
【技術分野】
【０００１】
本発明は、苗の植付けと該苗に対する施肥とを同時に行えるようにした田植え機に関する。
【背景技術】
【０００２】
走行機体の後方に昇降リンク機構を介して植付け装置を昇降自在に連結して、苗の植付けと該苗に対する施肥とを同時に行うようにした田植え機においては、走行機体のリヤアクスルケースの後端側に、後方に臨んで横方向に取付け固定された取付けプレートの後面に、肥料ポンプと変速装置とを、変速装置が下位となる上下方向に取付け、走行機体と植付け装置との間にコンパクトに配置するようにした田植え機が知られている（例えば、特許文献１参照）。
【０００３】
【特許文献１】実開平３−１２６４２７号公報（第５頁、第３図）
【発明の開示】
【発明が解決しようとする課題】
【０００４】
しかし、前記従来技術では、変速装置が下位となるように施肥ポンプと変速装置を配置しているため、複数の施肥ポンプを配置した場合には、変速装置の操作性が低下することがあった。
【０００５】
前記の事情に鑑み、本発明は、複数の施肥ポンプと変速装置とを田植え機の昇降リンクと後車輪との狭いスペースに配置可能とすると共に、前記変速装置の変速操作を容易に行えるようにした田植え機を提供することを目的とする。
【課題を解決するための手段】
【０００６】
前記目的を達成するため、請求項１に係る本発明は、走行機体（１１）の後方に、圃場に複数条の苗を植付ける植付け装置（３１）を昇降リンク（２５）を介して昇降自在に支持すると共に、前記複数条に植付けられる苗列に対応して各ノズル（４５）から肥料を施す施肥装置（４１）を備えてなる、田植え機（１０）において、
前記施肥装置（４１）は、施肥タンク（４２）と、施肥タンク（４２）の肥料を前記各ノズル（４５）にそれぞれ供給する複数の施肥ポンプ（５０）を有する肥料繰出し装置（４６）と、ＰＴＯ軸（２２）から前記肥料繰出し装置（４６）に伝達する回転を変速操作する変速装置（５５）と、を有し、
前記肥料繰出し装置（４６）は、前記走行機体（１１）を懸架する後車輪（１３）と前記昇降リンク（２５）との間における前記走行機体（１１）の後部に、前記複数の施肥ポンプ（５０）が縦方向に並ぶように配置され、
前記変速装置（５５）は、前記走行機体（１１）の後部における前記肥料繰出し装置（４６）の上方に配置されてなる、
ことを特徴とする田植え機にある。
【０００７】
請求項２に係る本発明は、前記ＰＴＯ軸（２２）から前記変速装置（５５）に動力伝達する第１の伝動装置（６０）を前記変速装置（５５）の機体後方側に配置し、
前記変速装置（５５）から前記肥料繰出し装置（４６）の前記各肥料ポンプ（５０）に動力伝達する第２の伝動装置（６１）を前記肥料繰出し装置（４６）の機体後方に配置してなる、
請求項１記載の田植え機にある。
【０００８】
請求項３に係る本発明は、前記肥料繰出し装置（４６）は、前記肥料タンク（４２）と連通する供給側溜り（４８）を機体後方に、かつ前記各施肥ポンプ（５０）の吐出口を機体前方に向けて配置され、前記施肥繰出し装置（４６）の前記各施肥ポンプ（５０）と前記各ノズル（４５）との間に介在される切換えバルブ（５３）を有する条止め装置（５１）を、前記走行機体（１１）のステップ（２１）後端部に配置し、
前記肥料繰出し装置（４６）の前記各施肥ポンプ（５０）から前記条止め装置（５１）の前記切換えバルブ（５３）に、更に前記切換えバルブ（５３）から前記各ノズル（４５）に、それぞれホース（５２）を連結してなる、
請求項１又は２記載の田植え機にある。
【０００９】
なお、前記した括弧内の符号等は、図面を参照するためのものであって、本発明を何ら限定するものではない。
【発明の効果】
【００１０】
請求項１に係る本発明によると、走行機体後部に配置される肥料繰出し装置及びその変速装置の配置スペースをコンパクトにすることができる。複数の施肥ポンプを縦方向に並べて配置したので、昇降リンクと後車輪との狭いスペースに、肥料繰出し装置をこれら昇降リンク及び後車輪と干渉することなく配置することができ、またその上方に変速装置を配置したので、該変速装置は、昇降リンクと干渉することはなく、かつ変速操作が容易となる位置にあって、施肥料の調節を容易かつ確実に行うことができる。
【００１１】
請求項２に係る本発明によると、第１の伝動装置及び第２の伝動装置を、走行機体の後端側に配置したので、植付け装置との間から、前記第１及び第２の伝動装置のギヤ、チェーン、スプロケット等の伝動部品を容易に交換することが可能となり、作業に先立ち予め設定する施肥量の調節を容易に行うことができる。
【００１２】
請求項３に係る本発明によると、条止め装置を、肥料繰出し装置から近接しているステップ後端部に配置しても、各施肥ポンプの吐出口は機体前方に向いているので、これらを連結するホースを急角度に折り曲げることはなく、滑らかに接続することができ、各ホース内での肥料の流れをスムーズにすることができる。
【発明を実施するための最良の形態】
【００１３】
以下、本発明の実施の形態を図面に基づいて説明する。
【００１４】
図１は、本発明に係る田植え機の側面図、図２は、図１における肥料繰出し装置の拡大図、図３は、図１における肥料繰出し装置の正面図、図４は、図３の平面図、図５は、図４における座席シート及びリヤカバーを外した状態を示す平面図である。
【００１５】
図１に示すように、田植え機（乗用田植え機）１０は、走行機体１１の後方に、圃場に複数条の苗を植付ける植付け装置３１を、昇降リンク２５を介して昇降自在に支持するとともに、前記複数条に植付けられる苗列に対応して各ノズルから肥料を施す施肥装置４１を備えている。
【００１６】
前記走行機体１１は、前車輪１２及び後車輪１３により支持された機体１５を備えている。前記機体１５の前方には、エンジン（図示せず）が搭載され、ボンネット１６で覆われている。前記機体１５の中央部には、運転席が配設され、座席シート１７、ステアリングハンドル１８、その他田植え機１０の運転操作に必要な各種のレバー、ペダル等が配置されている。また、前記機体１５には、前記座席シート１７の周囲を囲うようにリヤカバー２０が設置され、その後端部には、図４に示すように、ステップ２２が形成されている。
【００１７】
図３、図４及び図５に示すように、前記走行機体１１の後部には、前記エンジンによって駆動され、その回転を前記植付け装置３１に伝達して、該植付け装置３１を駆動するＰＴＯ軸２２が回転自在に支持されている。
【００１８】
前記昇降リンク２５は、トップリンク２６とロアリンク２７及び油圧シリンダ２８を有しており、該油圧シリンダ２８の作動により、前記トップリンク２６とロアリンク２７を揺動させ、後部に支持した植付け装置３１を昇降させるようになっている。
【００１９】
前記植付け装置３１は、複数の植付け杆３２を回転自在に配設した複数のプランタ３３と、複数のフロート３５及びマット状の苗を載置する苗のせ台３６を有し、前記植付け杆３２の回転により前記苗のせ台３６上のマット状の苗から掻き取った苗を圃場に複数条同時に植付けるようになっている。
【００２０】
図１、図２及び図３に示すように、前記施肥装置４１は、肥料を貯留する施肥タンク４２と、前記植付け装置３１のフロート３５に付設され、肥料を圃場の土中に導く複数のノズル４５と、前記ＰＴＯ軸２２を介して駆動され、前記施肥タンク４２に貯留された肥料を、前記ノズル４５に向けて所定量ずつ繰出す肥料繰出し装置５１と、前記ＰＴＯ軸２２から前記肥料繰出し装置５１に伝達する回転を変速操作する変速機６１とを有している。
【００２１】
前記施肥タンク４２は、前記機体１５に固定されたステー４３を介して、図１及び図３に示すように、前記座席シート１７の側方で前記後車輪１３の外側に位置するように支持されている。
【００２２】
図２、図３に示すように、前記肥料繰出し装置４６は、前記走行機体１１を懸架する前記後車輪１３と前記昇降リンク２５との間に位置するように、前記走行機体１１の後部に配置されている。
【００２３】
前記肥料繰出し装置４６は、ホース４７を介して前記施肥タンク４２に連通する供給溜り４８と、該供給溜り４８の前記機体１５の前方側に、吐出口を機体１５の前方に向けて縦方向に配列配置された複数の施肥ポンプ５０と、前記ステップ２１の後端に配置され、前記施肥ポンプ５０から吐出された肥料の流出先（ノズル４５又は施肥タンク４２）を切換える複数の切換えバルブ５３（図４、図５参照）を備えた条止め装置５１とを備えている。
【００２４】
前記施肥ポンプ５０と前記条止め装置５１の間、前記条止め装置５１と前記ノズル４５の間及び前記条止め装置５１と施肥タンク４２の間は、それぞれホース５２で接続されている。
【００２５】
また、前記肥料繰出し装置４６は、前記施肥ポンプ５０の上方に配置され、該施肥ポンプ５０の回転速度を変更して施肥量を調整するための変速装置５５と、該変速装置５５の機体後方に配置され、前記ＰＴＯ軸２２から該変速装置５５に動力を伝達する第１の伝動装置６０と、前記機体後方に配置され、前記変速装置５５の出力回転を前記施肥ポンプ５０に伝達する第２の伝動装置６１とを備えている。
【００２６】
前記変速装置５５は、図４、図５に示すように、前記ＰＴＯ軸２２からの入力を例えば４段階に変速操作する主変速レバー５６と、各変速段における変速出力を例えば高低２段階に変速すると共に、出力側への伝動を遮断するニュートラルポジションが設定された副変速レバー５７とを備え、肥料の供給量を８段階に調整できるようになっている。
【００２７】
前記構成の田植え機１０で、施肥を行わず苗の植付けのみを行う場合には、変速装置５５の主変速レバー５６の操作位置にかかわらず、副変速レバー５７をニートラルポジションへ操作する。すると、変速装置５５から施肥ポンプ５０への動力の伝動が行われず、施肥ポンプ５０は停止した状態に維持され、肥料の供給が行われない。従って、施肥を行うことなく苗の植付けだけを行うことができる。
【００２８】
また、苗の植付けと施肥を同時に行う場合には、変速装置５５の主変速レバー５６のより変速段を選択すると共に、副変速レバー５７で高低いずれかの変速段を選択する。すると、ＰＴＯ軸２２から第１の伝動装置６０を介して入力されたＰＴＯ軸２２の出力が変速装置５５で所要の速度に変速され、第２の伝動装置６１を介して施肥ポンプ５０に伝達され、施肥ポンプ５０を所要の速度で作動させる。
【００２９】
施肥ポンプ５０は、施肥タンク４２からホース４７を介して供給溜り４８に供給されている肥料からその回転速度に応じた量を汲み上げ、その吐出口から吐出する。施肥ポンプの吐出口から吐出された肥料は、ホース５２を介して条止め装置５１の切換えバルブ５３に導かれる。そして、切換えバルブ５３を通過した肥料は、ホース５２を介してノズル４５に送り込まれ、ノズル４５から圃場の土中に吐出され施肥される。
【００３０】
このとき、施肥の必要がないノズル４５があれば、そのノズル４５に対応する条止め装置５１の切換えバルブ５３を施肥停止側に操作しておく。すると、施肥停止側に操作された切換えバルブ５３に送り込まれた肥料は、ホース５２を通り施肥タンク４２に戻され、該切換えバルブ５３に接続されたノズル４５へは、肥料が供給されることがない。
【００３１】
前記のように、走行機体１１の後部に配置される肥料繰出し装置４６の複数の施肥ポンプ５０を縦方向に並べて配置し、またその上方に変速装置５５を配置したので、配置スペースをコンパクトにすることができる。また、昇降リンク２５と後車輪１３との狭いスペースに、肥料繰出し装置４６をこれら昇降リンク２５及び後車輪１３と干渉することなく配置することができ、かつ変速装置５５は、変速操作が容易となる位置にあって、施肥料の調節を容易かつ確実に行うことができる。
【００３２】
また、第１の伝動装置６０及び第２の伝動装置６１を、走行機体１１の後端側に配置したので、植付け装置３１との間から、前記第１及び第２の伝動装置６０、６１のギヤ、チェーン、スプロケット等の伝動部品を容易に交換することが可能となり、作業に先立ち予め設定する施肥量の調節を容易に行うことができる。
【００３３】
条止め装置５１を、肥料繰出し装置４６から近接しているステップ２１の後端部に配置しても、各施肥ポンプ５０の吐出口は機体前方に向いているので、これらを連結するホース５２を急角度に折り曲げることはなく、滑らかに接続することができ、各ホース５２内での肥料の流れをスムーズにすることができる。
【図面の簡単な説明】
【００３４】
【図１】本発明に係る田植え機の側面図である。
【図２】図１における肥料繰出し装置の拡大図である。
【図３】図１における肥料繰出し装置の正面図である。
【図４】図３の平面図である。
【図５】図４における座席シート及びリヤカバーを外した状態を示す平面図である。
【符号の説明】
【００３５】
１０  田植え機
１１  走行機体
１３  後車輪
２１  ステップ
２２  ＰＴＯ軸
２５  昇降リンク
３１  植付け装置
４１  施肥装置
４２  施肥タンク
４５  ノズル
４６  肥料繰出し装置
５０  施肥ポンプ
５１  条止め装置
５２  ホース
５３  切換えバルブ
５５  変速装置
６０  第１の伝動装置
６１  第２の伝動装置
【図１】
2006075008.tif 000003
【図２】
2006075008.tif 000004
【図３】
2006075008.tif 000005
【図４】
2006075008.tif 000006
【図５】
2006075008.tif 000007